(57)【特許請求の範囲】
【請求項１】
家具（１）のフラップ扉（３）のためのアクチュエータ（４）であって、当該アクチュエータは、
前記フラップ扉（３）を移動させるための閉位置と開位置との間で旋回可能に取り付けられた少なくとも一つの作動アーム（６）と、
前記作動アーム（６）に作用するバネ装置（９）と、
前記バネ装置（９）の作用力を前記作動アーム（６）に伝達するための伝達機構（１１）と、を含んでおり、
前記伝達機構（１１）を少なくとも２つの作動位置間にて移動可能にするシフト装置（２６）が提供されており、
第１の作動位置では、前記バネ装置（９）は、前記閉位置の直前の開位置において、前記閉位置の方向に作用する閉作用力で前記作動アーム（６）に作用し、
第２の作動位置では、前記バネ装置（９）は、前記作動アーム（６）の前記直前の開位置において、前記開位置の方向に作用する作用力を及ぼし、
前記伝達機構（１１）は、ヒンジ軸（１９）によって互いに接続された少なくとも２つのレバー（１８、３０）を有しており、
前記ヒンジ軸（１９）の位置は、前記シフト装置（２６）によって移動可能である、
ことを特徴とするアクチュエータ。
【請求項２】
前記作動アーム（６）の前記直前の開位置は、その閉位置から開始する２°から８°の範囲の角度であり、好適には５°である、
ことを特徴とする請求項１記載のアクチュエータ。
【請求項３】
前記ヒンジ軸（１９）の位置は、前記第１の作動位置に対応する第１の位置と、前記第２の作動位置に対応する少なくとも一つの第２の位置との間で移動可能である、
ことを特徴とする請求項１または２に記載のアクチュエータ。
【請求項４】
前記レバー（１８）は、好適には移動する軸部材（１７）を有しており、
前記レバー（３０）は、収容体に対して好適には固定された軸部材（２０）を有しており、
前記軸部材（１７）と前記軸部材（２０）との間の概念的な接続線に対応する作用力線（２８）に対する前記ヒンジ軸（１９）の位置は、前記シフト装置（２６）によって、前記作用力線（２８）に向かうように、および、前記作用力線（２８）から離れるように移動可能である、
ことを特徴とする請求項１から３のいずれか１項に記載のアクチュエータ。
【請求項５】
前記ヒンジ軸（１９）の位置は、前記シフト装置（２６）によって連続的に移動可能であるか、または、所定の位置で位置決め可能である、
ことを特徴とする請求項１から４のいずれか１項に記載のアクチュエータ。
【請求項６】
前記シフト装置（２６）は、調節ネジ（２７）を有しており、前記ヒンジ軸（１９）の位置は前記調節ネジ（２７）によって調節および／または固定できる、
ことを特徴とする請求項１から５のいずれか１項に記載のアクチュエータ。
【請求項７】
前記レバー（３０）は、好適にはスロット形状のガイド（２９）を有しており、前記調節ネジ（２７）は前記ガイド（２９）に沿って位置決めできる、
ことを特徴とする請求項６に記載のアクチュエータ。
【請求項８】
前記ヒンジ軸（１９）には、旋回部（３６）によって前記レバー（３０）にヒンジ式に接続されたピン（３１）が取り付けられている、
ことを特徴とする請求項１から７のいずれか１項に記載のアクチュエータ。
【請求項９】
前記レバー（３０）は、ガイドトラック（３８）を有しており、前記ピン（３１）は前記ガイドトラック（３８）に沿って、または、前記ガイドトラック（３８）内で制限的に移動可能に取り付けられている、
ことを特徴とする請求項８記載のアクチュエータ。
【請求項１０】
前記伝達機構（１１）は、前記シフト装置（２６）によって、修正された第２の開位置に移動可能であり、前記修正された第２の開位置において、前記作動アーム（６）が、前記バネ装置（９）によって、前記第１の作動モードよりも小さい閉作用力で、閉位置、または、閉位置付近で作用を受ける、
ことを特徴とする請求項１から９のいずれか１項に記載のアクチュエータ。
【請求項１１】
前記作動アーム（６）または前記作動アーム（６）に接続された前記フラップ扉（３）を閉位置に保持させる保持装置（７）が提供されている、
ことを特徴とする請求項１から１０のいずれか１項に記載のアクチュエータ。
【請求項１２】
前記フラップ扉（３）の閉動作を制動する制動装置（３５）、好適には流体ダンパが提供されている、
ことを特徴とする請求項１から１１のいずれか１項に記載のアクチュエータ。
【請求項１３】
家具枠体（２）と、
前記家具枠体（２）に対して移動可能に取り付けられており、請求項１から１２のいずれか１項に記載のアクチュエータ（４）によって移動可能に取り付けられているフラップ扉（３）と、
を備えた家具（１）。
【請求項１４】
前記フラップ扉（３）は、前記家具枠体（２）に対して水平に延在する旋回軸周囲で上方に移動可能に取り付けられている、
ことを特徴とする請求項１３記載の家具。
【発明の詳細な説明】
【技術分野】
【０００１】
本発明は、家具のフラップ扉のためのアクチュエータに関する。このアクチュエータは、フラップ扉を移動させるために閉位置と開位置との間で旋回可能に取り付けられた少なくとも一つの作動アームと、作動アームに作用するバネ装置と、バネ装置の作用力を作動アームに伝達するための伝達機構と、を含んでいる。
【０００２】
さらに本発明は、家具枠体と、家具枠体に対して移動可能に取り付けられており、解説するようなアクチュエータによって移動可能に取り付けられたフラップ扉と、を備えた家具に関する。
【背景技術】
【０００３】
ＤＥ１０２０３２６９Ａ１は、家具フラップ扉のための装着装置について解説しており、旋回可能に取り付けられた作動アームは、ガス圧スプリングの形態のバネ装置によって作動される。この作動アームまたはそれに接続されたフラップ扉は、フラップ扉が閉状態に保持され、意図しない開動作が防止されるよう、閉作用力を伴うガス圧スプリングの作用力によって閉位置に保持される。死点位置の通過後、フラップ扉が開位置の所定位置に保持されるよう、ガス圧スプリングはフラップ扉に上方保持トルクを及ぼす。ここでの欠点は、フラップ扉が開けられるとき、ユーザまたはおそらく提供されているであろう排出装置が、ガス圧スプリングによって及ぼされる閉作用力に打ち勝つために相当な作用力を適用しなければならないことである。さらに、その装着装置は、閉動作の最終領域において作動アームに閉作用力を常に及ぼすように設計されている。
【先行技術文献】
【特許文献】
【０００４】
【特許文献１】ＤＥ１０２０３２６９Ａ１
【発明の概要】
【発明が解決しようとする課題】
【０００５】
本発明の目的は、前述の欠点を回避しつつ、本明細書の当初部分で解説したようなアクチュエータを提供することである。
【課題を解決するための手段】
【０００６】
本発明によれば、この目的は、請求項１の特徴によって達成される。本発明の別な有利な形態は、従属請求項において述べられている。
【０００７】
したがって、伝達機構を少なくとも２つの作動位置間にて移動可能にするシフト装置が提供され、第１の作動位置では、バネ装置は、閉位置の直前の開位置において、閉位置の方向に作用する閉作用力で、作動アームに作用し、第２の作動位置では、バネ装置は、作動アームの前記の直前の開位置において、開位置の方向に作用する作用力を及ぼす。
【０００８】
前述の作動アームの“直前の開位置”は、その閉位置から開始する２°から８°の範囲の角度でよく、好適にはその角度は５°である。
【０００９】
換言すれば、伝達機構は、シフト装置の人手での操作によって自由に選択できる少なくとも２つの作動位置を有している。第１の作動位置では、作動アームは、閉位置または閉位置付近で、好適には０°から８°の作動アームの開角度で、バネ装置による閉作用力で作動され、それにより、作動アームまたは作動アームに接続されたフラップ扉は、閉位置で拘束される。
【００１０】
対照的に、第２の作動位置では、作動アームは、閉位置または閉位置付近で、バネ装置による開作用力で作動され、それにより、作動アームまたはそれに接続されたフラップ扉が、作動アームの閉位置から開始して開位置の方向に既に移動しているか、または、おそらく僅かな閉作用力に打ち勝った後に、開位置の方向に移動される。したがって、ユーザは、フラップ扉を開けるために作用力を適用する必要がないか、ほとんど適用する必要がなく、作動アームまたはフラップ扉の開動作はバネ装置によって補助されている。この作動位置は、特に、タッチラッチ機能を有する排出装置が閉端位置からの家具フラップ扉の排出のために配置されているとき有利であり、排出装置がフラップ扉を開けるときにバネ装置からの僅かな作用力のみに打ち勝たなければならない。
【００１１】
したがって、シフト装置は、それぞれの使用のために必要である特定のアクチュエータを必要とせず、異なる作動モードまたは使用のために一つの同じアクチュエータを利用できるようにする。例えば、このアクチュエータは、標準の利用（フラップ扉を閉端位置に引き戻す）、および、タッチラッチ利用（フラップ扉を閉端位置から排出させる）のためにも等しく利用できる。伝達機構は、作動アームが閉位置または閉位置付近（０°から８°の開角度範囲）で、バネ装置からの異なる付勢力によって作動される、少なくとも２つの作動位置間において、シフト装置によって移動可能である。
【００１２】
この点で、
第１の作動位置において、作動アームは、閉位置または閉位置付近でバネ装置による閉作用力で作動され、
第２の作動位置において、作動アームは、閉位置または閉位置付近でバネ装置による開位置の方向への作用力で作動され、
修正された第２の作動位置において、作動アームは、第１の作動モードよりも小さい閉作用力で、バネ装置によって、閉位置または閉位置付近で作動される。
【００１３】
作動アームが、閉位置または閉位置付近で開作用力によって作動される作動位置では、閉位置にて（すなわち家具枠体に対する位置にて）作動アームまたはフラップ扉を保持する保持装置が提供され、それにより、作動アームまたはこれに接続されたフラップ扉の意図しない開動作が防止される
【００１４】
本発明のさらなる詳細および利点については、図面に示す実施例によって解説する。
【図面の簡単な説明】
【００１５】
【図１】図１は、家具の斜視図であり、フラップ扉はアクチュエータによって家具枠体に対して上方に移動可能に取り付けられている。
【図２】図２は、アクチュエータの１実施例の斜視図である。
【図３ａ】図３ａは、異なる作動位置における作動アームの側面図である。
【図３ｂ】図３ｂは、異なる作動位置における作動アームの側面図である。
【図４ａ】図４ａは、アクチュエータの斜視図である。
【図４ｂ】図４ｂは、異なる位置でのシフト装置の詳細図である。
【図４ｃ】図４ｃは、異なる位置でのシフト装置の詳細図である。
【図５ａ】図５ａは、組み立てられた状態のアクチュエータのシフト装置を図示している。
【図５ｂ】図５ｂは、分解された状態のアクチュエータのシフト装置を図示している。
【図６】図６は、作動アームの作動角度に応じた多様な作動位置におけるバネ作用力に関する曲線のグラフを示している。
【発明を実施するための形態】
【００１６】
図１は、家具枠体２に両側にて固定されたアクチュエータ４、４０によって移動可能に取り付けられたフラップ扉３を備えた家具１を示している。アクチュエータ４、４０は、水平軸周りで旋回可能に取り付けられたフラップ扉３を移動させる作動アーム６、６０をそれぞれ有しており、それにより、フラップ扉３は、水平に延びる旋回軸周囲で家具枠体２に対して上方に移動可能に取り付けられる。アクチュエータ４は、家具枠体２への取り付けのための収容体５を有している。フラップ扉３の意図しない開動作が防止されるよう、作動アーム６、６０の閉位置または閉位置付近にあるアクチュエータ４、４０が、作動アーム６、６０に開作用力を及ぼす作動位置を提供できる保持装置７が概略的に示されている。
【００１７】
この目的のため、保持装置７は少なくとも２つの部材を含むことができ、第１の部材は家具枠体２に配置されており、第２の部材はフラップ扉３に配置されており、これら２つの部材は、フラップ扉３の閉位置において、互いに対して磁気吸引力を作用させる。この構造において、保持装置７は作用力保存手段によって作動される排出要素を有することができ、それによってフラップ扉３は、作用力保存手段のロック解除（ここでは補助的駆動力）が実行された後に開位置へと移動できる。保持装置７の作用力保存手段は、保持装置７の磁気保持力に打ち勝ち、よってフラップ扉３はアクチュエータ４、４０のバネ装置（図２）の作用力によって開位置へとさらに移動できる。
【００１８】
代わりに、または、追加的に、保持装置７はそこに提供された反転ループまたはハート型曲線部を備えた収容体を有していてもよく、フラップ扉３に配置された制御ピンは、その反転ループまたはハート型曲線部に沿って移動可能にガイドされ、解除可能なロック位置にガイドされる。そのロック位置は、フラップ扉３に手動で押し込み作用力および／または引張作用力を加えることによって再度解除でき、よってフラップ扉３はアクチュエータ（４、４０）のバネ装置（図２）の作用力によって開位置へと移動できる。そのような解除可能なロック構造は「タッチラッチ（Ｔｏｕｃｈ−Ｌａｔｃｈ）装置」に関して既に知られており、さらに詳説する必要なはい。図示の実施例では、保持装置７は家具枠体２のアクチュエータ（４、４０）から離れて配置されているが、アクチュエータ（４、４０）の一部としての機能的装置の形態でもよい。
【００１９】
図２は、アクチュエータ４の可能な１実施例の斜視図である。この図では、作動アーム６は閉位置にあり、移動し、かつ、水平に延伸する軸部材８の周囲で旋回可能に取り付けられている。アクチュエータ４は、一方が固定バネ基部１０に支持され、他方が伝達機構１１によって作動アーム６に作用するバネ装置９を有している。バネ装置９は少なくとも１つのコイルバネ（好適には圧縮バネ）を有している。図示の実施例では、伝達機構１１は、固定軸部材１３周囲で旋回可能に取り付けられた二重アーム偏位レバー１２を含んでいる。偏位レバー１２の端部では、バネ装置９が旋回取付点１４と係合し、バネ装置９の旋回取付点１４は偏位レバー１２の軸部材１３に対して螺状スピンドル１６に沿って調節装置１５によって移動可能であり、作動アーム６に作用するバネ装置９の作用力はフラップ扉３の選択的な重量補償のために調節可能である。レバー１８は、移動する軸部材１７によって偏位レバー１２の他方の端部にヒンジ式に接続されており、さらにヒンジ軸１９により別なレバー３０に接続されている。レバー３０は固定軸部材２０の周囲で旋回可能に取り付けられている。主レバー２１は、レバー３０に、移動する軸部材２２により接続されており、移動する軸部材２３によりヒンジレバー２４にも接続されている。ヒンジレバー２４は、固定軸部材２５の周囲で旋回可能である。主レバー２１は、移動旋回軸部材８により作動アーム６に接続されている。
【００２０】
関連するシフト装置２６は、２つのレバー１８と３０との間の回転軸を確立するヒンジ軸１９の位置を移動可能にする調節ネジ２７を有しており、よって伝達機構１１の異なる作動位置が選択できる。アクチュエータ４の動的特性は、以降の図面においても解説および示すように、シフト装置２６によって創出される、２つの軸部材（１７、２０）に対するヒンジ軸１９の位置の移動によって変更できる。
【００２１】
図３ａは、アクチュエータ４の側面図であり、シフト装置２６は理解を容易にするために示されていない。ヒンジ軸１９の位置は伝達機構１１の第１の作動位置に対応し、よってバネ装置９は、閉位置および所定の直前の開位置において閉作用力で作動アーム６に作用する。伝達機構１１の動的特性は、軸部材１７、ヒンジ軸１９および軸部材２０の位置によって決定される。この状況を解説するため、作用力線２８が、移動する軸部材１７と、収容体に対して固定された軸部材２０との間で破線により示されており、この点で、図３ａでは、移動可能に取り付けられたヒンジ軸１９は作用力線２８から比較的に大きく離れている。第１の作動位置において、閉位置および閉位置の直前の開位置にある作動アーム６は、閉位置の方向へバネ装置９の閉作用力を受ける。ヒンジ軸１９が作用力線２８を越えて移動すると、バネ装置９は作動アーム６に開位置の方向への作用力を及ぼす。アクチュエータ４は、フラップ扉３の閉動作を制動する流体ダンパ（好適にはピストンシリンダユニット）の形態の制動装置３５も有している。
【００２２】
一方、図３ｂは、伝達機構１１の第２の作動位置に対応するヒンジ軸１９の位置を示しており、よってバネ装置９は作動アーム６の前述の直前の開位置において作動アーム６に開位置の方向に作用力を及ぼす。図３ａの場合と異なり、移動可能なヒンジ軸１９の位置は、作用力線２８にかなり接近した作動アーム６の閉位置に配置されている。確かに、図示した作動アーム６の完全閉位置において、開位置の方向への作動アーム６の作動直後に、僅かな閉作用力がバネ装置によって作動アーム６にまだ及んでいるため、ヒンジ軸１９は作用力線２８を越えて直ちに移動される。前述の作動アーム６の直前の開位置（例えば５°以上の開角度）では、作動アーム６はバネ装置９によって開位置の方向に既に付勢されている。ヒンジ軸１９が図３ａおよび図３ｂに示される作用力線２８よりも下に来るよう、ヒンジ軸１９の調節が行われるなら、作動アーム６は閉位置から開始する開動作を既に有している。しかしながら、この場合には、フラップ扉３が家具枠体２に対して閉端位置に十分に安定して保持されるよう、保持装置７（図１）が提供されるであろう。よって、軸部材１７と２０との間の概念的な接続線に対応する作用力線２８に対するヒンジ軸１９の位置は、シフト装置２６によって、好適には作用力線２８に対してほぼ直角に延びる方向で、そこに向かうように、および、そこから離れるように移動可能である。
【００２３】
図４ａは、アクチュエータ４の斜視図であり、伝達機構１１の多様な作動位置を設定するためのシフト装置２６の領域は、枠で囲まれて示されている。図４ｂは、その詳細な領域を拡大して示しており、図４ｂのヒンジ軸１９の位置は伝達機構１１の第２の作動位置に対応しており、この場合にはバネ装置９の作用力は、前述の作動アーム６の直前の開位置（好適には５°以上の開角度）から開動作関係で作動アーム６に作用する。図示の実施例では、シフト装置２６は調節ネジ２７を含んでおり、それによってヒンジ軸１９の位置を調節および／または固定できる。調節ネジ２７は、レバー３０の好適にはスロット形状であるガイド２９内で移動可能に取り付けられており、調節ネジ２７の移動性はガイド２９の外側輪郭および長さによって制限されている。図示の実施例では、調節ネジ２７は固定ネジ２７の形態であり、ヒンジ軸１９の位置を調節するために、調節ネジ２７が先ず解放され、ヒンジ軸１９の位置が予め決められ、その後に調節ネジ２７は再び締め付けられる。本発明によれば、調節ネジ２７の回転運動は、例えばセルフロック式ウォームトランスミッション、偏心および／またはラックピニオン構造などによる伝達機構（ここでは図示せず）によりヒンジ軸１９の直線運動へと変換されることは理解できよう。
【００２４】
一方、図４ｃは、伝達機構１１の第１の作動位置に対応する調節ネジ２７またはヒンジ軸１９の、図４ｂと比較して移動した位置を示しており、この場合には、バネ装置９は閉位置および前述の作動アーム６の直前の開位置において作動アーム６に閉作用力を及ぼす。図４ｂと比較した調節ネジ２７の位置は、ガイド２９の他方端にあり、よってヒンジ軸１９の位置も上昇し、作用力線２８（図３ａ）からさらに離れる。
【００２５】
図５ａは、ヒンジ軸１９を調節するためのレバー１８と３０との間で作動可能なシフト装置２６を示している。組み立てられた状態では、レバー１８は、移動する軸部材１７によって方向変更レバー１２（図４ａ）に接続されており、一方、レバー２０の移動する軸部材２２は、主レバー２１（図３ａおよび図３ｂ）に接続されている。レバー３０は収容体に対して固定された軸部材２０周囲で旋回可能に取り付けられている。調節ネジ２７を解放し、それをガイド２９に沿って予め位置決めすることで、ヒンジ軸１９の位置を調節でき、よってアクチュエータ４の異なる作用位置を設定できる。調節ネジ２７の位置決めが行われた後で、調節ネジ２７を締め付けることでヒンジ軸１９の位置を再び固定できる。
【００２６】
図５ｂは、図５ａに示す部材の分解図である。ヒンジ軸１９には、旋回部３６をレバー１８に接続するピン３１が取り付けられている。旋回部３６は別のピン３３によってレバー３０に旋回可能に取り付けられている。組み立てられた状態では、調節ネジ２７はレバー３０のスロット形状ガイド２９を通過し、旋回部３６の対応する開口部３７に係合する。さらに、この構造は（主レバー２１への接続のための（図３ａおよび図３ｂ参照））軸部材２２に取り付けられたピン３２、および（レバー３０をアクチュエータ４の収容体５に接続するために）軸部材２０に取り付けられたピン３４を有している。ヒンジ軸１９に取り付けられたピン３１は、レバー３０の好適には湾曲したガイドトラック３８（図５ａ）内またはガイドトラック３８に沿って制限的に移動可能に取り付けられており、好適には予め設定された位置においても、調節ネジ２７の調節によって位置決めできる。
【００２７】
図６は、作動アーム６の開角度（α）に応じて作動アーム６に作用する作用力（Ｆ）のグラフを示している。曲線（Ａ）は、伝達機構１１の第１の開位置を例示的に示しており、作動アーム６の閉位置（α＝０）では、作動アーム６に閉作用力が作用し、５°の開角度で、作動アーム６に作用力も作用し、よって、フラップ扉３が、最終閉領域における閉動作において閉端位置へと引っ張られ、所定の閉作用力で閉端位置で保持される。
【００２８】
曲線（Ｂ）は、伝達機構１１の第２の開位置の可能性を示しており、作動アーム６の閉位置（α＝０°；α＝５°）で、バネ装置９によって開作用力が作動アーム６に作用し、よって、開作用力が開角度範囲全体にわたって作動アーム６に作用する。
【００２９】
曲線（Ｃ）は、伝達機構１１の修正された第２の作動位置を例示的に示しており、作動アーム６の閉位置（α＝０°）では、第１の開位置での曲線（Ａ）と比較して小さい閉作用力が作動アーム６に作用し、よって、確かに作動アーム６が閉位置に保持されているが、死点位置の通過後（α＝５°の開角度から）、バネ装置９の作用力によって開位置の方向に移動される。開動作は５°で既に実行されている。
【００３０】
シフト装置２６は作動アーム６の停止状態にてそれぞれの開位置を転換させる。移動可能なヒンジ軸１９の位置は、それぞれの作動位置に対応する２以上の所定の位置またはラッチ位置においても固定でき、調節ネジ２６によって、フラップ扉３のそれぞれの重量に応じて、その場での微調節も可能である。フラップ扉の重量を補償するために作動アーム６に作用するバネ作用力の調節は、図２に関連して解説した調節装置１５によって実行され、作動アーム６に接続されたフラップ扉３がそれ自体によって上方に旋回せず、バネ装置９の予め設定された作用力によって開位置において定位置に保持されるよう、作動アーム６へのバネ装置９の作用力も調節できる。
【図１】
0005964457.tif 000002
【図２】
0005964457.tif 000003
【図３ａ】
0005964457.tif 000004
【図３ｂ】
0005964457.tif 000005
【図４ａ】
0005964457.tif 000006
【図４ｂ】
0005964457.tif 000007
【図４ｃ】
0005964457.tif 000008
【図５ａ】
0005964457.tif 000009
【図５ｂ】
0005964457.tif 000010
【図６】
0005964457.tif 000011